(57)【特許請求の範囲】
【請求項１】
箱体を含み、前記箱体の中には右方に開口した空き空間が設置され、前記空き空間の中には回転板が回転可能に設置され、前記回転板の中には搭載機構が設置され、前記搭載機構の中には二つの補助記憶装置が挟持されるように取り付けられ、前記補助記憶装置の左端にはスライドインターフェースが通電可能に、且つ固定的に接続され、前記スライドインターフェースは前記空き空間の内へ向いており、前記空き空間の左側内壁の中にはコンピュータが固定的に設置され、前記空き空間の左側内壁の中には導線溝が連通するように形成され、前記導線溝の中には固定インターフェースが固定的に設置され、前記固定インターフェースの左端と前記コンピュータとの間には導線が通電可能に接続され、上側にある前記補助記憶装置は上側にある前記スライドインターフェースを通じて前記固定インターフェースに接続されることができ、前記空き空間の左側内壁の中には動力機構が設置され、前記動力機構の右端は緩速回転軸により前記回転板に連結され、且つ快速回転軸により前記搭載機構に連結され、前記動力機構を作動させたあと、前記緩速回転軸を駆動することで前記回転板は駆動されて回転し、同時に前記快速回転軸により前記搭載機構を駆動し、さらに前記補助記憶装置を駆動してスライドさせ、前記箱体の上端にはＬ型板が固定的に連結され、前記Ｌ型板の中には推動機構が設置され、前記推動機構は下端が前記動力機構に連結され、
前記動力機構は前記空き空間の左側内壁の中に設置された駆動空間を含み、前記駆動空間の中にはセクタ傘歯車が回転可能に設置され、前記セクタ傘歯車の左端には駆動軸が固定的に連結され、前記駆動空間の左側内壁の中には制御モータが固定的に設置され、前記駆動軸の左端が前記制御モータに伝動可能に連結され、前記制御モータは前記コンピュータに通電可能に接続され、前記セクタ傘歯車の上下両端には従動傘歯車が対称的に、且つ噛み合えるように設置され、前記セクタ傘歯車は同時に両側の前記従動傘歯車と噛み合うことはしなく、下側の前記従動傘歯車の中には伝動軸が固定的に連結され、前記伝動軸の上端が前記推動機構に連結され、上側の前記従動傘歯車の左端には固定軸が固定的に連結され、前記駆動空間の左側内壁の中には伝動空間が設置され、前記伝動空間の中には連結歯車が回転可能に設置され、前記連結歯車は左部の歯の直径が右部のより長く、前記固定軸の左端が前記連結歯車に固定的に連結され、前記連結歯車の上側には小型歯車及び大型歯車が回転可能に設置され、前記大型歯車は前記小型歯車の右側に位置し、前記小型歯車と前記大型歯車とは同時に前記連結歯車に噛み合い、且つ前記小型歯車の回転中心と前記大型歯車の回転中心とは同じであり、前記緩速回転軸の左端が前記大型歯車に固定的に連結され、前記緩速回転軸の右端が前記回転板に固定的に連結され、前記快速回転軸の左端が前記小型歯車に固定的に連結され、前記快速回転軸の右端が前記搭載機構に連結され、
前記推動機構は前記Ｌ型板の中に形成されたベルト溝を含み、前記ベルト溝の中には主動プーリが回転可能に設置され、前記伝動軸の上端が前記主動プーリに固定的に連結され、前記伝動軸が前記緩速回転軸の右側に位置し、前記主動プーリの右側には従動プーリが回転可能に設置され、前記主動プーリと前記従動プーリとの間には伝動ベルトが連結され、前記従動プーリの中には連結軸が固定的に連結され、前記ベルト溝の下側内壁の中には左方へ開口したカム溝が形成され、前記カム溝の中にはカムが回転可能に設置され、前記連結軸の下端が前記カムに固定的に連結され、前記カムの左端が上側にある前記補助記憶装置と当接できることを特徴とする補助記憶装置の接続装置。
【請求項２】
前記連結歯車の駆動による前記大型歯車の回転は速度が遅く、前記大型歯車の駆動による前記小型歯車の回転は速度が速いことを特徴とする請求項１に記載の補助記憶装置の接続装置。
【請求項３】
前記搭載機構は前記回転板の中に左右に貫通する且つ上下対称になるように設置された貫通孔を含み、前記補助記憶装置は前記貫通孔の中で左右にスライドでき、前記貫通孔において対称中心に近接する側の内壁の中には凹溝が連通するように形成され、前記凹溝の中には二つの支持輪が回転可能に設置され、前記支持輪の中には支持軸が固定的に連結され、前記支持軸の前後両端が前記凹溝の前後内壁に回転可能に連結され、前記支持輪の間には連結輪が回転可能に設置され、前記連結輪と両側の前記支持輪との間には連結ベルトが連結され、前記連結ベルトにおいて対称中心から離れた一端が前記補助記憶装置と当接し、前記連結輪の中にはウォームホイール軸が固定的に連結され、前記凹溝の後側内壁の中には噛合空間が設置され、前記ウォームホイール軸の後端が前記噛合空間の中に延在し、且つ前記ウォームホイール軸の後端にはウォームホイールが固定的に連結され、前記ウォームホイールの左端にはウォームが噛み合うように設置され、前記ウォームの中には旋転軸が固定的に連結され、前記回転板の中には歯車空間が設置され、前記歯車空間の中には対称歯車が上下対称的に、且つ回転可能に設置され、両側の前記旋転軸において対称中心に近接する一端はそれぞれ両側の前記対称歯車に固定的に連結され、前記対称歯車の間には中間歯車が噛み合うように設置され、前記快速回転軸の右端が前記中間歯車に固定的に連結されていることを特徴とする請求項１に記載の補助記憶装置の接続装置。
【請求項４】
前記貫通孔において対称中心から離れた側の内壁の中にはばね溝が連通するように形成され、前記ばね溝の中にはスライダがスライド可能に設置され、前記スライダは前記補助記憶装置の左端と当接し、前記スライダの右端と前記ばね溝の左側内壁との間には連結ばねが固定的に連結されていることを特徴とする請求項３に記載の補助記憶装置の接続装置。
【発明の詳細な説明】
【技術分野】
【０００１】
本願発明は記憶装置分野を取り上げて、具体的には補助記憶装置の接続装置である。
【背景技術】
【０００２】
記憶装置は、コンピュータが処理すべきデジタルデータをある期間保持するのに使う、部品、装置、電子媒体の総称であり、よく使われている記憶装置技術としては、半導体、磁気、光学があり、紙も限定的に使われ続けている。記憶装置は主に主記憶装置及び補助記憶装置を含み、補助記憶装置は外部バスに接続され、メインのバスに直接接続される主記憶装置と比較するとレイテンシやスループットは遅いが比較すると大容量である。しかし、使用時に人力で補助記憶装置をコンピュータに接続するまたはコンピュータから取り外す必要があるため、補助記憶装置とコンピュータのインターフェースに損傷を与え、その他、容量が足りない場合において他の補助記憶装置を使用しなければならなく、その時になって新しい補助記憶装置を探すのは面倒である。従って、本願発明は上記の問題を解決できる補助記憶装置の接続装置である。
【先行技術文献】
【特許文献】
【０００３】
【特許文献１】中国特許出願公開第１０１４４１５５１号明細書
【発明の概要】
【発明が解決しようとする課題】
【０００４】
従来の技術において、人力で補助記憶装置をコンピュータに接続するまたはコンピュータから取り外す必要がある。
【課題を解決するための手段】
【０００５】
上記の問題を解決するために、本例は補助記憶装置の接続装置を設計し、本願発明の補助記憶装置の接続装置は、箱体を含み、前記箱体の中には右方に開口した空き空間が設置され、前記空き空間の中には回転板が回転可能に設置され、前記回転板の中には搭載機構が設置され、前記搭載機構の中には二つの補助記憶装置が挟持されるように取り付けられ、前記補助記憶装置の左端にはスライドインターフェースが通電可能に、且つ固定的に接続され、前記スライドインターフェースは前記空き空間の内へ向いており、前記空き空間の左側内壁の中にはコンピュータが固定的に設置され、前記空き空間の左側内壁の中には導線溝が連通するように形成され、前記導線溝の中には固定インターフェースが固定的に設置され、前記固定インターフェースの左端と前記コンピュータとの間には導線が通電可能に接続され、上側にある前記補助記憶装置は上側にある前記スライドインターフェースを通じて前記固定インターフェースに接続されることができ、前記空き空間の左側内壁の中には動力機構が設置され、前記動力機構の右端は緩速回転軸により前記回転板に連結され、且つ快速回転軸により前記搭載機構に連結され、前記動力機構を作動させたあと、前記緩速回転軸を駆動することで前記回転板は駆動されて回転し、同時に前記快速回転軸により前記搭載機構を駆動し、さらに前記補助記憶装置を駆動してスライドさせ、前記箱体の上端にはＬ型板が固定的に連結され、前記Ｌ型板の中には推動機構が設置され、前記推動機構は下端が前記動力機構に連結され、前記動力機構を作動させたあと、前記推動機構を駆動し、さらに上側にある前記補助記憶装置を押して左方へスライドさせることができ、そして上側にある前記スライドインターフェースと前記固定インターフェースとを接続する。
【０００６】
有益的には、前記動力機構は前記空き空間の左側内壁の中に設置された駆動空間を含み、前記駆動空間の中にはセクタ傘歯車が回転可能に設置され、前記セクタ傘歯車の左端には駆動軸が固定的に連結され、前記駆動空間の左側内壁の中には制御モータが固定的に設置され、前記駆動軸の左端が前記制御モータに伝動可能に連結され、前記制御モータは前記コンピュータに通電可能に接続され、前記コンピュータは上側にある前記補助記憶装置のメモリ容量がいっぱいになることを検知したあとに前記制御モータを作動させ、前記セクタ傘歯車の上下両端には従動傘歯車が対称的に、且つ噛み合えるように設置され、前記セクタ傘歯車は同時に両側の前記従動傘歯車と噛み合うことはしなく、下側の前記従動傘歯車の中には伝動軸が固定的に連結され、前記伝動軸の上端が前記推動機構に連結され、上側の前記従動傘歯車の左端には固定軸が固定的に連結され、前記駆動空間の左側内壁の中には伝動空間が設置され、前記伝動空間の中には連結歯車が回転可能に設置され、前記連結歯車は左部の歯の直径が右部のより長く、前記固定軸の左端が前記連結歯車に固定的に連結され、前記連結歯車の上側には小型歯車及び大型歯車が回転可能に設置され、前記大型歯車は前記小型歯車の右側に位置し、前記小型歯車と前記大型歯車とは同時に前記連結歯車に噛み合い、且つ前記小型歯車の回転中心と前記大型歯車の回転中心とは同じであり、前記緩速回転軸の左端が前記大型歯車に固定的に連結され、前記緩速回転軸の右端が前記回転板に固定的に連結され、前記快速回転軸の左端が前記小型歯車に固定的に連結され、前記快速回転軸の右端が前記搭載機構に連結され、且つ前記快速回転軸と前記緩速回転軸とは対向になるように回転でき、前記制御モータを作動させ、前記駆動軸により前記セクタ傘歯車は駆動されて回転し、両側の前記従動傘歯車を駆動して回転させることができ、下側の前記従動傘歯車は回転する時に前記伝動軸により前記推動機構を駆動し、上側の前記従動傘歯車は回転する時に前記固定軸により前記連結歯車を駆動して回転させ、さらに同時に前記大型歯車と前記小型歯車とを駆動して回転させ、前記大型歯車は前記緩速回転軸により前記回転板を駆動して回転させ、前記小型歯車は前記快速回転軸により前記搭載機構を駆動する。
【０００７】
好ましくは、前記連結歯車の駆動による前記大型歯車の回転は速度が遅く、前記大型歯車の駆動による前記小型歯車の回転は速度が速く、前記大型歯車は百八十度回転するたびに、前記セクタ傘歯車は上側の前記従動傘歯車との噛み合い状態から離脱する。
【０００８】
有益的には、前記搭載機構は前記回転板の中に左右に貫通する且つ上下対称になるように設置された貫通孔を含み、前記補助記憶装置は前記貫通孔の中で左右にスライドでき、前記貫通孔において対称中心に近接する側の内壁の中には凹溝が連通するように形成され、前記凹溝の中には二つの支持輪が回転可能に設置され、前記支持輪の中には支持軸が固定的に連結され、前記支持軸の前後両端が前記凹溝の前後内壁に回転可能に連結され、前記支持輪の間には連結輪が回転可能に設置され、前記連結輪と両側の前記支持輪との間には連結ベルトが連結され、前記連結ベルトにおいて対称中心から離れた一端が前記補助記憶装置と当接し、前記連結輪の中にはウォームホイール軸が固定的に連結され、前記凹溝の後側内壁の中には噛合空間が設置され、前記ウォームホイール軸の後端が前記噛合空間の中に延在し、且つ前記ウォームホイール軸の後端にはウォームホイールが固定的に連結され、前記ウォームホイールの左端にはウォームが噛み合うように設置され、前記ウォームの中には旋転軸が固定的に連結され、前記回転板の中には歯車空間が設置され、前記歯車空間の中には対称歯車が上下対称的に、且つ回転可能に設置され、両側の前記旋転軸において対称中心に近接する一端はそれぞれ両側の前記対称歯車に固定的に連結され、前記対称歯車の間には中間歯車が噛み合うように設置され、前記快速回転軸の右端が前記中間歯車に固定的に連結され、前記小型歯車は回転して前記快速回転軸により前記中間歯車を駆動して回転させ、さらに前記対称歯車を駆動して回転させ、さらに前記旋転軸により前記ウォームを駆動して回転させ、さらに前記ウォームホイールを駆動して回転させ、前記ウォームホイール軸により前記連結輪は駆動されて回転し、両側の前記支持輪の支持により前記連結ベルトは駆動されて回転し、前記補助記憶装置との摩擦により前記補助記憶装置を駆動してスライドさせ、前記ウォームと前記ウォームホイールとは減速伝動し、前記連結ベルトの回転速度が速すぎることによって前記補助記憶装置のスライド速度が速すぎることを避け、同時に前記連結ベルトと前記補助記憶装置との滑りを避けられる。
【０００９】
好ましくは、前記貫通孔において対称中心から離れた側の内壁の中にはばね溝が連通するように形成され、前記ばね溝の中にはスライダがスライド可能に設置され、前記スライダは前記補助記憶装置の左端と当接し、前記スライダの右端と前記ばね溝の左側内壁との間には連結ばねが固定的に連結され、前記スライダは前記補助記憶装置の左方へのスライド可能距離を制限でき、同時に前記連結ばねにより前記補助記憶装置のスライド速度が速すぎることを避けられ、前記補助記憶装置は前記スライダとの接触から離脱する時、前記連結ばねにより前記スライダは駆動されて右方へスライドする。
【００１０】
有益的には、前記推動機構は前記Ｌ型板の中に形成されたベルト溝を含み、前記ベルト溝の中には主動プーリが回転可能に設置され、前記伝動軸の上端が前記主動プーリに固定的に連結され、前記伝動軸が前記緩速回転軸の右側に位置し、前記主動プーリの右側には従動プーリが回転可能に設置され、前記主動プーリと前記従動プーリとの間には伝動ベルトが連結され、前記従動プーリの中には連結軸が固定的に連結され、前記ベルト溝の下側内壁の中には左方へ開口したカム溝が形成され、前記カム溝の中にはカムが回転可能に設置され、前記連結軸の下端が前記カムに固定的に連結され、前記カムの左端が上側にある前記補助記憶装置と当接でき、下側の前記従動傘歯車は回転して前記伝動軸により前記主動プーリを駆動して回転させ、さらに前記伝動ベルトにより前記従動プーリを駆動して回転させ、さらに前記連結軸により前記カムを駆動して回転させ、上側の前記補助記憶装置は押されて左方へスライドし、そして上側の前記スライドインターフェースにより前記固定インターフェースと接続される。
【発明の効果】
【００１１】
本願発明の有益効果は：本願発明は二つの補助記憶装置を備えており、二つの補助記憶装置のうちの一つはコンピュータに接続され、もう一つは予備の記憶装置とし、コンピュータは接続する補助記憶装置のメモリ容量がいっぱいになることを検知したあと、自動的に補助記憶装置を取り替え、新しい補助記憶装置を探す時間を省き、また、インターフェースの磨耗を減らせる。
【図面の簡単な説明】
【００１２】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本願発明の全体構成模式図
【図２】図２は図１におけるＡの拡大模式図
【図３】図３は図１におけるＢの拡大模式図
【図４】図４は図２におけるＣ―Ｃ方向からの構成模式図
【図５】図５は図３におけるＤ―Ｄ方向からの構成模式図
【図６】図６は図５におけるＥ―Ｅ方向からの構成模式図
【発明を実施するための形態】
【００１４】
本願発明の補助記憶装置の接続装置は、箱体１１を含み、前記箱体１１の中には右方に開口した空き空間１２が設置され、前記空き空間１２の中には回転板１７が回転可能に設置され、前記回転板１７の中には搭載機構１０１が設置され、前記搭載機構１０１の中には二つの補助記憶装置５２が挟持されるように取り付けられ、前記補助記憶装置５２の左端にはスライドインターフェース４３が通電可能に、且つ固定的に接続され、前記スライドインターフェース４３は前記空き空間１２の内へ向いており、前記空き空間１２の左側内壁の中にはコンピュータ２９が固定的に設置され、前記空き空間１２の左側内壁の中には導線溝２６が連通するように形成され、前記導線溝２６の中には固定インターフェース２４が固定的に設置され、前記固定インターフェース２４の左端と前記コンピュータ２９との間には導線２７が通電可能に接続され、上側にある前記補助記憶装置５２は上側にある前記スライドインターフェース４３を通じて前記固定インターフェース２４に接続されることができ、前記空き空間１２の左側内壁の中には動力機構１００が設置され、前記動力機構１００の右端は緩速回転軸１３により前記回転板１７に連結され、且つ快速回転軸３１により前記搭載機構１０１に連結され、前記動力機構１００を作動させたあと、前記緩速回転軸１３を駆動することで前記回転板１７は駆動されて回転し、同時に前記快速回転軸３１により前記搭載機構１０１を駆動し、さらに前記補助記憶装置５２を駆動してスライドさせ、前記箱体１１の上端にはＬ型板２８が固定的に連結され、前記Ｌ型板２８の中には推動機構１０２が設置され、前記推動機構１０２は下端が前記動力機構１００に連結され、前記動力機構１００を作動させたあと、前記推動機構１０２を駆動し、さらに上側にある前記補助記憶装置５２を押して左方へスライドさせることができ、そして上側にある前記スライドインターフェース４３と前記固定インターフェース２４とを接続する。
【００１５】
実施例によって、以下に前記動力機構１００について詳しく説明し、前記動力機構１００は前記空き空間１２の左側内壁の中に設置された駆動空間３８を含み、前記駆動空間３８の中にはセクタ傘歯車４０が回転可能に設置され、前記セクタ傘歯車４０の左端には駆動軸３６が固定的に連結され、前記駆動空間３８の左側内壁の中には制御モータ３５が固定的に設置され、前記駆動軸３６の左端が前記制御モータ３５に伝動可能に連結され、前記制御モータ３５は前記コンピュータ２９に通電可能に接続され、前記コンピュータ２９は上側にある前記補助記憶装置５２のメモリ容量がいっぱいになることを検知したあとに前記制御モータ３５を作動させ、前記セクタ傘歯車４０の上下両端には従動傘歯車３７が対称的に、且つ噛み合えるように設置され、前記セクタ傘歯車４０は同時に両側の前記従動傘歯車３７と噛み合うことはしなく、下側の前記従動傘歯車３７の中には伝動軸３９が固定的に連結され、前記伝動軸３９の上端が前記推動機構１０２に連結され、上側の前記従動傘歯車３７の左端には固定軸４１が固定的に連結され、前記駆動空間３８の左側内壁の中には伝動空間３４が設置され、前記伝動空間３４の中には連結歯車３３が回転可能に設置され、前記連結歯車３３は左部の歯の直径が右部のより長く、前記固定軸４１の左端が前記連結歯車３３に固定的に連結され、前記連結歯車３３の上側には小型歯車３２及び大型歯車３０が回転可能に設置され、前記大型歯車３０は前記小型歯車３２の右側に位置し、前記小型歯車３２と前記大型歯車３０とは同時に前記連結歯車３３に噛み合い、且つ前記小型歯車３２の回転中心と前記大型歯車３０の回転中心とは同じであり、前記緩速回転軸１３の左端が前記大型歯車３０に固定的に連結され、前記緩速回転軸１３の右端が前記回転板１７に固定的に連結され、前記快速回転軸３１の左端が前記小型歯車３２に固定的に連結され、前記快速回転軸３１の右端が前記搭載機構１０１に連結され、且つ前記快速回転軸３１と前記緩速回転軸１３とは対向になるように回転でき、前記制御モータ３５を作動させ、前記駆動軸３６により前記セクタ傘歯車４０は駆動されて回転し、両側の前記従動傘歯車３７を駆動して回転させることができ、下側の前記従動傘歯車３７は回転する時に前記伝動軸３９により前記推動機構１０２を駆動し、上側の前記従動傘歯車３７は回転する時に前記固定軸４１により前記連結歯車３３を駆動して回転させ、さらに同時に前記大型歯車３０と前記小型歯車３２とを駆動して回転させ、前記大型歯車３０は前記緩速回転軸１３により前記回転板１７を駆動して回転させ、前記小型歯車３２は前記快速回転軸３１により前記搭載機構１０１を駆動する。
【００１６】
有益的には、前記連結歯車３３の駆動による前記大型歯車３０の回転は速度が遅く、前記大型歯車３０の駆動による前記小型歯車３２の回転は速度が速く、前記大型歯車３０は百八十度回転するたびに、前記セクタ傘歯車４０は上側の前記従動傘歯車３７との噛み合い状態から離脱する。
【００１７】
実施例によって、以下に前記搭載機構１０１について詳しく説明し、前記搭載機構１０１は前記回転板１７の中に左右に貫通する且つ上下対称になるように設置された貫通孔４２を含み、前記補助記憶装置５２は前記貫通孔４２の中で左右にスライドでき、前記貫通孔４２において対称中心に近接する側の内壁の中には凹溝５６が連通するように形成され、前記凹溝５６の中には二つの支持輪４４が回転可能に設置され、前記支持輪４４の中には支持軸４５が固定的に連結され、前記支持軸４５の前後両端が前記凹溝５６の前後内壁に回転可能に連結され、前記支持輪４４の間には連結輪４６が回転可能に設置され、前記連結輪４６と両側の前記支持輪４４との間には連結ベルト４９が連結され、前記連結ベルト４９において対称中心から離れた一端が前記補助記憶装置５２と当接し、前記連結輪４６の中にはウォームホイール軸４８が固定的に連結され、前記凹溝５６の後側内壁の中には噛合空間５９が設置され、前記ウォームホイール軸４８の後端が前記噛合空間５９の中に延在し、且つ前記ウォームホイール軸４８の後端にはウォームホイール６０が固定的に連結され、前記ウォームホイール６０の左端にはウォーム５８が噛み合うように設置され、前記ウォーム５８の中には旋転軸４７が固定的に連結され、前記回転板１７の中には歯車空間１６が設置され、前記歯車空間１６の中には対称歯車１４が上下対称的に、且つ回転可能に設置され、両側の前記旋転軸４７において対称中心に近接する一端はそれぞれ両側の前記対称歯車１４に固定的に連結され、前記対称歯車１４の間には中間歯車１５が噛み合うように設置され、前記快速回転軸３１の右端が前記中間歯車１５に固定的に連結され、前記小型歯車３２は回転して前記快速回転軸３１により前記中間歯車１５を駆動して回転させ、さらに前記対称歯車１４を駆動して回転させ、さらに前記旋転軸４７により前記ウォーム５８を駆動して回転させ、さらに前記ウォームホイール６０を駆動して回転させ、前記ウォームホイール軸４８により前記連結輪４６は駆動されて回転し、両側の前記支持輪４４の支持により前記連結ベルト４９は駆動されて回転し、前記補助記憶装置５２との摩擦により前記補助記憶装置５２を駆動してスライドさせ、前記ウォーム５８と前記ウォームホイール６０とは減速伝動し、前記連結ベルト４９の回転速度が速すぎることによって前記補助記憶装置５２のスライド速度が速すぎることを避け、同時に前記連結ベルト４９と前記補助記憶装置５２との滑りを避けられる。
【００１８】
有益的には、前記貫通孔４２において対称中心から離れた側の内壁の中にはばね溝５４が連通するように形成され、前記ばね溝５４の中にはスライダ５５がスライド可能に設置され、前記スライダ５５は前記補助記憶装置５２の左端と当接し、前記スライダ５５の右端と前記ばね溝５４の左側内壁との間には連結ばね５３が固定的に連結され、前記スライダ５５は前記補助記憶装置５２の左方へのスライド可能距離を制限でき、同時に前記連結ばね５３により前記補助記憶装置５２のスライド速度が速すぎることを避けられ、前記補助記憶装置５２は前記スライダ５５との接触から離脱する時、前記連結ばね５３により前記スライダ５５は駆動されて右方へスライドする。
【００１９】
実施例によって、以下に前記推動機構１０２について詳しく説明し、前記推動機構１０２は前記Ｌ型板２８の中に形成されたベルト溝２２を含み、前記ベルト溝２２の中には主動プーリ２５が回転可能に設置され、前記伝動軸３９の上端が前記主動プーリ２５に固定的に連結され、前記伝動軸３９が前記緩速回転軸１３の右側に位置し、前記主動プーリ２５の右側には従動プーリ２１が回転可能に設置され、前記主動プーリ２５と前記従動プーリ２１との間には伝動ベルト２３が連結され、前記従動プーリ２１の中には連結軸２０が固定的に連結され、前記ベルト溝２２の下側内壁の中には左方へ開口したカム溝１８が形成され、前記カム溝１８の中にはカム１９が回転可能に設置され、前記連結軸２０の下端が前記カム１９に固定的に連結され、前記カム１９の左端が上側にある前記補助記憶装置５２と当接でき、下側の前記従動傘歯車３７は回転して前記伝動軸３９により前記主動プーリ２５を駆動して回転させ、さらに前記伝動ベルト２３により前記従動プーリ２１を駆動して回転させ、さらに前記連結軸２０により前記カム１９を駆動して回転させ、上側の前記補助記憶装置５２は押されて左方へスライドし、そして上側の前記スライドインターフェース４３により前記固定インターフェース２４と接続される。
【００２０】
以下に、図１〜図６を合わせ、本願発明の使用手順について詳しく説明する。
【００２１】
初めに、上側の補助記憶装置５２は左限界位置に位置し、この時に上側のスライドインターフェース４３と固定インターフェース２４とは接続され、下側の補助記憶装置５２は右限界位置に位置し、両側の連結ばね５３は引っ張られる状態にあり、カム１９の長軸端は上側の補助記憶装置５２と当接し、セクタ傘歯車４０と下側の従動傘歯車３７とは噛み合っている。
【００２２】
使用時、コンピュータ２９は上側にある補助記憶装置５２のメモリ容量がいっぱいになることを検知したあとに制御モータ３５を作動させ、駆動軸３６によりセクタ傘歯車４０は駆動されて回転し、下側の従動傘歯車３７は駆動されて回転し、伝動軸３９により主動プーリ２５は駆動されて回転し、伝動ベルト２３により従動プーリ２１は駆動されて回転し、連結軸２０によりカム１９は駆動されて回転し、そしてカム１９の短軸端は上側の補助記憶装置５２と当接し、この時に、上側のスライダ５５は上側の連結ばね５３により右方へスライドして上側の補助記憶装置５２を押して右方へスライドさせ、さらに上側のスライドインターフェース４３を固定インターフェース２４との接続状態から離脱させ、この時にセクタ傘歯車４０は下側の従動傘歯車３７との噛み合い状態から離脱し、且つ上側の従動傘歯車３７と噛み合うようになり、セクタ傘歯車４０は上側の従動傘歯車３７を駆動して回転させ、固定軸４１により連結歯車３３を駆動して回転させ、さらに小型歯車３２と大型歯車３０とを駆動して回転させ、小型歯車３２は快速回転軸３１により中間歯車１５を駆動して回転させ、さらに対称歯車１４を駆動して回転させ、さらに旋転軸４７によりウォーム５８を駆動して回転させ、さらにウォームホイール６０を駆動して回転させ、ウォームホイール軸４８により連結輪４６を駆動して回転させ、両側の支持輪４４の支持により連結ベルト４９は駆動されて回転し、補助記憶装置５２を駆動して回転させ、上側の補助記憶装置５２は右方へスライドし、下側の補助記憶装置５２は左方へスライドし、同時に大型歯車３０は回転して緩速回転軸１３により回転板１７を駆動して回転させ、さらに補助記憶装置５２を駆動して回転させ、最初に上側に位置する補助記憶装置５２は下側に回転したとき、補助記憶装置５２は右限界位置にスライドし、この時に下側の補助記憶装置５２を取り出すことができ、最初に下側に位置する補助記憶装置５２は上側に回転したとき、補助記憶装置５２はカム１９の短軸端と当接し、この時にスライドインターフェース４３は固定インターフェース２４と正対し、セクタ傘歯車４０は上側の従動傘歯車３７との噛み合い状態から離脱して下側の従動傘歯車３７と噛み合い、さらに改めてカム１９を駆動して回転させ、そして上側の補助記憶装置５２を押して左方へスライドさせ、スライドインターフェース４３と固定インターフェース２４とを接続させ、この時にセクタ傘歯車４０はちょうど下側の従動傘歯車３７との噛み合い状態から離脱し、制御モータ３５を止め、人力で下側の補助記憶装置５２を取り出せばよい。
【００２３】
補助記憶装置５２を取り替える過程において、人力による操作が要らなく、時間を節約でき、また、スライドインターフェース４３の摩耗を減らすことも可能になる。
【００２４】
本願発明の有益効果は：本願発明は二つの補助記憶装置を備えており、二つの補助記憶装置のうちの一つはコンピュータに接続され、もう一つは予備の記憶装置とし、コンピュータは接続する補助記憶装置のメモリ容量がいっぱいになることを検知したあと、自動的に補助記憶装置を取り替え、新しい補助記憶装置を探す時間を省き、また、インターフェースの磨耗を減らせる。
【００２５】
以上の方式により、本分野の技術者が本発明の範囲内に作動モードにより各種な変化をすることができる。
【要約】
【課題】本願発明は補助記憶装置の接続装置を開示した。
【解決手段】
箱体を含み、前記箱体の中には右方に開口した空き空間が設置され、前記空き空間の中には回転板が回転可能に設置され、前記回転板の中には搭載機構が設置され、前記搭載機構の中には二つの記憶装置が挟持されるように取り付けられ、前記記憶装置の左端にはスライドインターフェースが通電可能に、且つ固定的に接続され、本願発明は二つの補助記憶装置を備えており、二つの補助記憶装置のうちの一つはコンピュータに接続され、もう一つは予備の記憶装置とし、コンピュータは接続する補助記憶装置のメモリ容量がいっぱいになることを検知したあと、自動的に補助記憶装置を取り替え、新しい補助記憶装置を探す時間を省き、また、インターフェースの磨耗を減らせる。
【選択図】図１【図１】
0006841991.tif 000002
【図２】
0006841991.tif 000003
【図３】
0006841991.tif 000004
【図４】
0006841991.tif 000005
【図５】
0006841991.tif 000006
【図６】
0006841991.tif 000007